(57)【要約】【課題】箸と装飾物との相対的な位置関係を簡単に一定に保つことができ、箸との関係における装飾物の装飾性を損なうことがない、箸包装体を提供する。【解決手段】箸包装体１は、被包装物５である箸２と箸置き３と稲穂４ａ（装飾物４）とが、包装箱６等により包装されたものである。箸置き３は、挿入孔３ａを有する。箸２と稲穂４ａとは、それぞれの一部が、箸置き３の挿入孔３ａに挿入されて保持され、箸２と稲穂４ａとの相対的な位置関係が一定に保たれる。【選択図】  図１
0003202239.tif 000002
【実用新案登録請求の範囲】
【請求項１】
箸と箸置きと装飾物とを備える被包装物が包装されてなる箸包装体であって、
前記箸置きは、挿入孔を有し、
前記箸と前記装飾物とは、それぞれの一部が、前記挿入孔に挿入されて保持される、箸包装体。
【請求項２】
前記箸置きは、筒状に形成されて、その筒内が前記挿入孔となり、その筒の周面に、前記挿入孔に通ずる窪みを有して、その窪みの底面が、前記箸を置くことができる箸置き面となって、
前記箸と前記装飾物とは、それぞれの一部が、前記挿入孔に挿入されて、前記窪みの前記挿入孔に通ずる開口から外部に臨んでいる、請求項１に記載の箸包装体。
【請求項３】
前記挿入孔に挿入される、前記箸の一部は、箸先部である、請求項１または２に記載の箸包装体。
【請求項４】
前記装飾物は、稲穂であって、その稲穂は、穂先とは反対の基部側が前記挿入孔に挿入されている、請求項１ないし３のいずれか１項に記載の箸包装体。
【請求項５】
前記稲穂は、穂先とは反対の基部側が前記挿入孔に挿入されて、前記箸に沿って配置される、請求項４に記載の箸包装体。
【請求項６】
前記挿入孔の内周面には、前記箸と前記装飾物とが通る環状のパッキンが設けられる、請求項１ないし５のいずれか１項に記載の箸包装体。
【請求項７】
箱本体と蓋とからなる包装箱を有し、
前記被包装物は、前記包装箱に入れられることで包装される、請求項１ないし６のいずれか１項に記載の箸包装体。
【請求項８】
透明体からなる包装袋を有し、
前記被包装物は、前記包装袋に入れられることで包装される、請求項１ないし６のいずれか１項に記載の箸包装体。
【考案の詳細な説明】
【技術分野】
【０００１】
この考案は、箸と箸置きと装飾物とが包装された箸包装体に関するものである。
【背景技術】
【０００２】
従来、包装用袋に、箸とともに箸置きが入れられて、販売等に供される箸包装体があった（例えば、特許文献１参照）。図５に示すように、この箸包装体１１において、箸置き１２は、包装用袋１３に同封される包装用台紙１４の一部である重ね部１４ｂによって形成された。ここで、包装用台紙１４は、台紙主部１４ａと、そのほぼ中央位置から横に連続する重ね部１４ｂとからなり、それら台紙主部１４ａと重ね部１４ｂとで箸１５を挟んだ状態で、包装用袋１３に入れられていた。そして、包装用台紙１４には、台紙主部１４ａと重ね部１４ｂとの境界に、切り離しのための切り目が設けられ、重ね部１４ｂ（箸置き１２）は、デザインカット部１２ａを有して、所定の折り曲げ線１２ｂで折り曲げることにより、箸置き部１２ｃが形成された。
【先行技術文献】
【特許文献】
【０００３】
【特許文献１】実用新案登録第３０２９７００号公報
【考案の概要】
【考案が解決しようとする課題】
【０００４】
ところで、前記従来の箸包装体１１にあっては、箸１５は、台紙主部１４ａと、デザインカット部１２ａを有する重ね部１４ｂとで挟まれるのみであり、デザインカット部１２ａ（装飾物）との位置関係において、箸１５がずれてしまう虞があり、このため両者の相対的な位置関係は、不安定なものであった。
【０００５】
この考案は、上記した従来の欠点を解決するためになされたものであり、その目的とするところは、箸と装飾物との相対的な位置関係を簡単に一定に保つことができ、箸との関係における装飾物の装飾性を損なうことがない、箸包装体を提供することにある。
【課題を解決するための手段】
【０００６】
この考案に係る箸包装体は、前記目的を達成するために、次の構成からなる。すなわち、
請求項１に記載の考案に係る箸包装体は、箸と箸置きと装飾物とを備える被包装物が包装されてなる。ここで、前記箸置きは、挿入孔を有し、前記箸と前記装飾物とは、それぞれの一部が、前記挿入孔に挿入されて保持される。
【０００７】
この箸包装体によると、箸と装飾物とは、箸置きに設けられた挿入孔に挿入されて保持される。このため、この箸置きを介して、箸と装飾物との相対的な位置関係が一定に保たれる。
【０００８】
また、請求項２に記載の考案に係る箸包装体は、請求項１に記載の箸包装体において、前記箸置きは、筒状に形成されて、その筒内が前記挿入孔となり、その筒の周面に、前記挿入孔に通ずる窪みを有して、その窪みの底面が、前記箸を置くことができる箸置き面となる。そして、前記箸と前記装飾物とは、それぞれの一部が、前記挿入孔に挿入されて、前記窪みの前記挿入孔に通ずる開口から外部に臨んでいる。こうして、箸と装飾物のそれぞれの一部が、箸置きにおける窪みの挿入孔に通ずる開口から外部に臨むことで、その開口を通して、箸と装飾物との、挿入孔への挿入状態を確認することができる。
【０００９】
また、請求項３に記載の考案に係る箸包装体は、請求項１または２に記載の箸包装体において、前記挿入孔に挿入される、前記箸の一部は、箸先部である。
【００１０】
また、請求項４に記載の考案に係る箸包装体は、請求項１ないし３のいずれか１項に記載の箸包装体において、前記装飾物は、稲穂であって、その稲穂は、穂先とは反対の基部側が前記挿入孔に挿入されている。
【００１１】
また、請求項５に記載の考案に係る箸包装体は、請求項４に記載の箸包装体において、前記稲穂は、穂先とは反対の基部側が前記挿入孔に挿入されて、前記箸に沿って配置される。
【００１２】
また、請求項６に記載の考案に係る箸包装体は、請求項１ないし５のいずれか１項に記載の箸包装体において、前記挿入孔の内周面には、前記箸と前記装飾物とが通る環状のパッキンが設けられる。こうして、箸置きにおける挿入孔の内周面にパッキンを設けることで、箸置きにより、箸と装飾物とを確実に保持することができる。
【００１３】
また、請求項７に記載の考案に係る箸包装体は、請求項１ないし６のいずれか１項に記載の箸包装体において、箱本体と蓋とからなる包装箱を有し、前記被包装物は、前記包装箱に入れられることで包装される。
【００１４】
また、請求項８に記載の考案に係る箸包装体は、請求項１ないし６のいずれか１項に記載の箸包装体において、透明体からなる包装袋を有し、前記被包装物は、前記包装袋に入れられることで包装される。
【考案の効果】
【００１５】
この考案に係る箸包装体によれば、包装された箸と箸置きと装飾物において、箸と装飾物の両者を、箸置きの挿入孔に挿入することで、箸と装飾物との相対的な位置関係を簡単に一定に保つことができ、箸との関係における装飾物の装飾性を損なうことがない。
【図面の簡単な説明】
【００１６】
【図１】この考案の一実施の形態の、箸包装体において、蓋をあけた状態を示す平面図である。
【図２】同じく、箸を箸置きに載せた状態を示す斜視図である。
【図３】同じく、箸置きを示す図であり、（ａ）は、平面図、（ｂ）は、縦断面図である。
【図４】この考案の他の実施の形態の、箸包装体を示す平面図である。
【図５】従来の箸包装体において、（ａ）は、箸包装体を示す斜視図、（ｂ）は、箸を箸置きに載せた状態を示す斜視図である。
【考案を実施するための形態】
【００１７】
以下、この考案に係る箸包装体を実施するための形態を図面に基づいて説明する。
【００１８】
図１〜図３は、本考案の一実施の形態を示す。図中符号１は、箸包装体を示す。２は、箸を示す。３は、箸置きを示す。４は、装飾物を示す。
【００１９】
箸包装体１は、箸２と箸置き３と装飾物４とを備える被包装物５が包装されてなる。ここで、箸置き３は、挿入孔３ａを有する。そして、箸２と装飾物４とは、それぞれの一部が、箸置き３の挿入孔３ａに挿入されて保持される。
【００２０】
詳細には、箸置き３は、筒状に形成されて、その筒内が前記挿入孔３ａとなり、その筒の周面に、挿入孔３ａに通ずる窪み３ｂを有する。そこで、その窪み３ｂの底面が、箸２を置くことができる箸置き面３ｃとなる。そして、箸２と装飾物４とは、それぞれの一部が挿入孔３ａに挿入されて、窪み３ｂの挿入孔３ａに通ずる開口３ｄから外部に臨んでいる。
【００２１】
具体的には、箸置き３は、木とか陶器とか合成樹脂等によって形成される。この箸置き３は、略円筒状に形成されている。詳細には、円筒状の周面の一部が平坦に形成されて、その平坦部が、この箸置き３の底面３ｅとなっている。また、前記挿入孔３ａに挿入される、箸２の一部は、箸先部２ａであって、挿入孔３ａは、その一方が、箸２が挿入される入り口３ｆとなり、他方は、小孔３ｇを残して塞がれている。
【００２２】
前記窪み３ｂは、図３（ｂ）に示すように、箸置き３の中央部分が深く両端側が浅くなるような円弧状に窪むように形成される。そして、挿入孔３ａに通ずる開口３ｄは、箸置き３の軸方向に長径となる楕円状に形成され（図３（ａ）参照）、その開口３ｄの周囲が、前記箸置き面３ｃとなっている。
【００２３】
また、前記挿入孔３ａの内周面には、箸２と装飾物４とが通る環状のパッキン３ｈが設けられる（図３（ｂ）参照）。詳細には、このパッキン３ｈは、例えばオーリングからなり、挿入孔３ａの内周面を一周する溝３ｉに嵌められることで、その内周面に留まっている。
【００２４】
前記装飾物４は、例えば稲穂４ａであって、その稲穂４ａは、穂先とは反対の基部４ｂ側が箸置き３の挿入孔３ａに挿入されて、箸２に沿って配置される。ここにおいて、稲穂４ａは、自然の作物をそのまま用いることができるが、その作物にコーティング等の加工を施したものでもよく、また、その作物を模して合成樹脂、その他の素材により人工的に作ったものでもよい。
【００２５】
ところで、箸包装体１は、包装箱６を有する。そこで、前記被包装物５（つまり、箸２と箸置き３と装飾物４）は、包装箱６に入れられることで包装される。この包装箱６は、箱本体６ａと蓋６ｂとからなり、特に、これら箱本体６ａと蓋６ｂとは分離別体に形成されている。箱本体６ａは、被包装物５を収容するよう、箸２の長手方向に細長に形成される。そして、箸２の長手方向に直交する方向が開口し、その開口を覆うように、前記蓋６ｂが被せられる。図１は、箱本体６ａから蓋６ｂを外し、その蓋６ｂを裏返して箱本体６ａの裏側に収めた状態を示す。ここで、箸２は、その箸２を構成する一対の箸片２０１、２０１が、横に並び、箸置き３は、窪み３ｂが手前側を向くように配置される。そして、箸２と、装飾物４である稲穂４ａとは、稲穂４ａが箸２の手前側に位置するようにして、箸置き３の挿入孔３ａに共に挿入される。なお、図中符号７は、被包装物の裏側に宛がわれる台紙を示し、８は、箸２を台紙７に固定するための紐等の留め具を示す。
【００２６】
次に、以上の構成からなる箸包装体１の作用効果について説明する。この箸包装体１によると、箸２と装飾物４とは、箸置き３に設けられた挿入孔３ａに挿入されて保持される。このため、この箸置き３を介して、箸２と装飾物４との相対的な位置関係が一定に保たれる。すなわち、包装された箸２と箸置き３と装飾物４において、箸２と装飾物４の両者を、箸置き３の挿入孔３ａに挿入することで、箸２と装飾物４との相対的な位置関係を簡単に一定に保つことができる。そして、このように、箸２と装飾物４との相対的な位置関係を一定に保つことで、箸包装体１において、箸２との関係における装飾物４の装飾性を損なうことがなく、その装飾性を的確に発揮することができる。
【００２７】
また、箸２と装飾物４のそれぞれの一部が、箸置き３における窪み３ｂの挿入孔３ａに通ずる開口３ｄから外部に臨んでいる。これにより、この開口３ｄを通して、箸２と装飾物４との、挿入孔３ａへの挿入状態を確認することができる。
【００２８】
また、箸置き３の挿入孔３ａの内周面には、箸２と装飾物４とが通る環状のパッキン３ｈが設けられる。こうして、挿入孔３ａの内周面にパッキン３ｈを設けることで、この箸置き３により、箸２と装飾物４とを確実に保持することができる。
【００２９】
なお、本考案は、上述した実施の形態に限定されるわけではなく、その他種々の変更が可能である。例えば、包装箱６は、箱本体６ａと蓋６ｂとが分離別体に形成されているが、一体に形成されてもよい。
【００３０】
また、包装は、包装箱６でなくても、例えば、透明フィルム等の透明体からなる包装袋９であってもよい。すなわち、図４に示すように、箸包装体１は、透明フィルム等の透明体からなる包装袋９を有し、被包装物５は、この包装袋９に入れられることで包装されてもよい。また、この包装袋９は、透明体からならなくても、半透明体あるいは不透明体からなっていてもよい。また、包装は、包装箱６とか包装袋９に限らず、包装容器、包装紙等、被包装物を包装できるものであればどのようなものでもよい。
【００３１】
また、装飾物４は、箸置き３における窪み３ｂの、挿入孔３ａに通ずる開口３ｄから外部に臨んでいるが、臨まなくてもよい。また、この開口３ｄは、なくてもよい。
【００３２】
また、箸置き３の挿入孔３ａには、箸先部２ａが挿入されるが、挿入孔３ａを貫通するように形成することで、箸２の中間部分である胴部が挿入されてもよい。
【００３３】
また、箸置き３の挿入孔３ａには、パッキン３ｈが設けられるが、このパッキン３ｈは、設けられなくてもよい。
【００３４】
また、箸置き３は、筒状に形成されなくても、挿入孔３ａを有するものであれば、どのような形状であってもよい。
【００３５】
また、装飾物４は、稲穂４ａでなくても、稲穂以外の作物、植物、天然物、人工物等、箸２に添えられて装飾性を発揮することができるものであれば、どのようなものでもよい。
【符号の説明】
【００３６】
１  箸包装体
２  箸
２ａ  箸先部
３  箸置き
３ａ  挿入孔
３ｂ  窪み
３ｃ  箸置き面
３ｄ  開口
３ｈ  パッキン
４  装飾物
４ａ  稲穂
４ｂ  基部
５  被包装体
６  包装箱
６ａ  箱本体
６ｂ  蓋
９  包装袋
【図１】
0003202239.tif 000003
【図２】
0003202239.tif 000004
【図３】
0003202239.tif 000005
【図４】
0003202239.tif 000006
【図５】
0003202239.tif 000007